(57)【要約】【課題】使い易い筐体を提供する。【解決手段】筐体１１の前面に表示窓１３を配置し、表示窓の下に出し入れ可能なテーブル１７を配置し、該テーブル１７の下に、印刷紙排出口２３を備える引出部２１を配置する。筐体１１の内部に、表示画面が表示窓１３に対向するように表示装置を支持する表示装置支持部と、引出部２１に配置され、プリンタを支持するプリンタ支持部とを配置する。テーブル部１７は、内部にキーボード２７を収容可能な空間を備え、マウスを載置可能な第１の位置、マウスを操作可能な第２の位置、マウスを操作可能でかつキーボードを操作可能な第３の位置のいずれかを選択して固定可能である。【選択図】　図１
2004086433.tif 000002
【特許請求の範囲】
【請求項１】
前面に配置された画面表示窓と、
該画面表示窓の下に配置され、段階的に出し入れ可能なテーブル部と、
該テーブル部の下に配置され、印刷紙排出口を備える引出部と、
内部に配置され、前記画面表示窓に対応位置に表示画面が位置するように表示装置を支持する表示装置支持部と、
前記引出部に配置され、プリンタを支持するプリンタ支持部と、
を備える、
ことを特徴とするコンピュータシステム用筐体。
【請求項２】
前記テーブル部は、内部に入力装置を収容可能な空間を備え、段階的に引き出し可能で、所定位置で、収容した入力装置を操作可能に構成されている、ことを特徴とする請求項１に記載のコンピュータシステム用筐体。
【請求項３】
前記テーブル部は、マウスを載置可能な第１の位置、マウスを操作可能な第２の位置、マウスを操作可能でかつキーボードを操作可能な第３の位置のいずれかを選択して固定可能である、ことを特徴とする請求項２に記載のコンピュータシステム用筐体。
【請求項４】
前記表示装置支持部は、支持している表示装置の画面の高さを調整するための高さ調整部を備え、
前記プリンタ支持部は、支持しているプリンタの用紙排出部と前記印刷紙排出口との高さの調整するための高さ調整部とを備える、
ことを特徴とする請求項１乃至３のいずれか１項に記載のコンピュータシステム用筐体。
【請求項５】
前記表示装置支持部に支持され、前記画面表示窓に対向する画面を備える表示装置と、
前記プリンタ支持部に支持され、排紙を印刷紙排出口から外部に排出するように支持されたプリンタと、
前記筐体の底部に載置されたコンピュータと、
をさらに備えることを特徴とする請求項１乃至４のいずれか１項に記載の筐体を使用したコンピュータシステム。
【発明の詳細な説明】
【０００１】
【発明の属する技術分野】
本発明は、コンピュータシステム用の筐体と、該筐体を用いたコンピュータシステムに関する。
【０００２】
【従来の技術】
博物館、公共施設、等には様々な形態のコンピュータシステムが設置されている。この種のコンピュータシステムは、個別に最適設計された筐体に配置されている。しかし、このような手法では、筐体の費用が高く、システムのコストが高くなるという問題がある。
【０００３】
従来、博物館や公共施設に設置されている装置は、子供やお年寄りでも操作が容易であるという観点から、画面操作型やマウス操作型であるものが多い。このような装置でも、メンテナンス時には、キーボードを使用する必要がある。このため、メンテナンス時に、キーボードを用意しなければならず、不便であり、迅速な対応が困難な場合もある。
【０００４】
さらに、これらのコンピュータシステムの表示内容によっては、ユーザがメモを取りたい場合もあるが、メモ用に別の台を用意しなければならなかった。
【０００５】
【発明が解決しようとする課題】
この発明は上記実状に鑑みてなされたものであり、汎用性の高い筐体を提供することを目的とする。
また、この発明は、メンテナンスが容易な筐体を提供することを目的とする。
【０００６】
【課題を解決するための手段】
上記目的を達成するため、本発明にかかるコンピュータシステム用筐体は、前面に配置された画面表示窓と、該表示窓の下に配置され、段階的に出し入れ可能なテーブル部と、該テーブル部の下に配置され、印刷紙排出口を備える引出部と、内部に配置され、前記画面表示窓に対応位置に表示画面が位置するように表示装置を支持する表示装置支持部と、前記引出部に配置され、プリンタを支持するプリンタ支持部と、
を備える。
【０００７】
前記テーブル部は、例えば、内部に入力装置を収容可能な空間を備え、段階的に引き出し可能で、所定位置で、収容した入力装置を操作可能に構成されている。
【０００８】
前記テーブル部は、例えば、マウスを載置可能な第１の位置、マウスを操作可能な第２の位置、マウスを操作可能でかつキーボードを操作可能な第３の位置のいずれかを選択して固定可能である。
【０００９】
前記表示装置支持部は、支持している表示装置の画面の高さを調整するための高さ調整部を備え、前記プリンタ支持部は、支持しているプリンタの用紙排出部と前記印刷紙排出口との高さの調整するための高さ調整部とを備える。
【００１０】
前記表示装置支持部に支持され、前記画面表示窓に対向する画面を備える表示装置と、前記プリンタ支持部に支持され、排紙を印刷紙排出口から外部に排出するように支持されたプリンタと、前記筐体の底部に載置されたコンピュータと、をさらに備えてもよい。
【００１１】
【発明の実施の形態】
以下、本発明の実施の形態にかかる筐体及びその筐体を用いたコンピュータシステムについて説明する。
図１は、この発明の第１の実施の形態に係る筐体の外観斜視図、図２（ａ）、（ｂ）、（ｃ）は、それぞれ正面図、側面図、平面図である。
【００１２】
図示するように、この筐体１１は、全体として下部が広く上部が狭い四角錐台状の形状を有する。
筐体１１の前面パネル１１ａは、ほぼ垂直に形成されており、該前面パネルの上部には、ＣＲＴ（冷陰極線管）等の表示装置の画面を外部に露出するためのモニタ画面用の表示窓１３が形成されている。表示窓１３は、筐体１１の内部に配置されたＣＲＴ・液晶表示装置等の表示装置の画面を外部から参照可能とする。表示窓１３には、適宜、透明パネルなどの保護パネルが配置される。また、表示窓１３には、適宜、内部に配置される表示装置の周縁部を覆うための飾り枠が装着される。
【００１３】
前面パネル１１ａの表示窓１３の上には、直径２０ｍｍ程度のカメラ窓１５が形成されている。このカメラ窓１５の内部には、円筒形等の小型ＣＣＤカメラ等が装着される。
【００１４】
筐体１１の前面パネル１１ａの表示窓１３の下には、テーブル（マウス台）１７が配置されている。テーブル１７の上には、マウス１９が載置され、ユーザがマウス１９を操作したり、メモを取る際などに使用される。
【００１５】
図３（ａ）〜（ｃ）に示すように、テーブル１７は、奥部にキーボード２７などを収納するための空間１７ａを備える。空間１７ａは、テーブル１７の最奥部で上面に開口している。さらに、空間１７ａから、テーブル１７の後端部まで、キーボードケーブルを挿通するためのキーボードケーブル挿通穴１７ｂが形成されている。
【００１６】
テーブル１７は、レール１７ｃ等に支持され、図３に示すように、マウス１９を載置可能な第１の位置、マウス１９を操作可能な第２の位置、マウスを操作可能でかつ空間１７ａに載置されたキーボード２７を操作可能な第３の位置のいずれかの位置にスライド可能に構成されている。
【００１７】
筐体１の前面パネル１１ａのテーブル１７に隣接する位置には、マウスケーブルを通すためのマウスケーブル挿通穴１７ｄが配置されている。
【００１８】
筐体１１の前面のテーブル１７の下の位置には、引出部２１が配置されている。引出部２１は、レール上を前後にスライド可能に構成されている。引出部２１内には、後述するプリンタ台４３が配置されている。
引出部２１の前面パネルには、印刷紙排出口２３が形成されており、プリンタから印刷紙排出口２３に印刷紙を導くガイドが内部に配置されている。
【００１９】
また、引出部２１の前面パネルには、シリンダ錠２５が配置されている。このシリンダ錠２５をロックすると、テーブル１７と引出部２１とはロックされ、移動しなくなる。
【００２０】
さらに、筐体１１の下面には、ロック機能を備えたキャスタ３５が配置されている。
【００２１】
次に、筐体１１の内部構造を図４を参照して説明する。筐体１１の中央部には、高さ調整が可能に構成されたモニタ支持台４１が設けられている。
また、引出部２１内には、高さ調整が可能に構成されたプリンタ台４３が配置されている。
さらに、筐体１１の底面３７上には、コンピュータ本体３３を支持するためのコンピュータ支持部４５が配置されている。
【００２２】
筐体１１の背面は、開放され、内部にアクセスできるように構成されている。
【００２３】
次に、この筐体１１の使用例を説明する。
まず、カメラ窓１５の内部にＣＣＤカメラを装着する。
次に、筐体１１の背面部より、モニタ支持台４１に任意のモニタ装置２９を載置する。次に、表示窓１３とモニタ装置２９の画面の高さが一致するようにモニタ支持台４１の高さを調整する。
【００２４】
続いて、シリンダ錠２５を解除して、引出部２１を引き出した状態で、又は、筐体１１の背面より、プリンタ台４３にプリンタ装置３１を配置し、プリンタ装置３１の排紙が印刷紙排出口２３に案内されるように、プリンタ台４３の高さを調整する。また、底面３７のコンピュータ支持部４５に、コンピュータ本体３３を配置する。
【００２５】
一方、テーブル１７に隣接して形成されているマウスケーブル挿通穴１７ｄにマウス１９のマウスケーブルを挿通する。
【００２６】
シリンダ錠２５を解除して、テーブル１７を第３の位置まで引き出して空間１７ａを露出させ、ここにキーボード２７を収納する。キーボードケーブルは、テーブル１７の奧部に形成されたキーボードケーブル挿通穴１７ｂから筐体１１の内部に引き出す。
【００２７】
テーブル１７を、マウス１９を操作できる程度に突出した第２の位置まで押し込み、引出部２１を戻して、シリンダ錠２５をロックして固定する。
続いて、ＣＣＤカメラ、モニタ装置２９、プリンタ装置３１、マウス１９、キーボード２７の各ケーブルをコンピュータ本体３３に接続する。
【００２８】
このようにして、筐体１１へのコンピュータの設置が完了すると、キャスタ３５を使用して、この筐体１１を設置したい位置に固定する。
【００２９】
通常の使用時には、図５に示すように、ユーザは、テーブル１７の上に載置されたマウス１９を操作して、モニタ画面上のアイコンを順次指定して、コンピュータの操作を行う。マウス１９により、印刷が指定されると、コンピュータ本体３３は、プリンタ装置３１を制御して印刷を行う。プリンタ装置３１から排出された印刷済の用紙は、ガイドに案内されて印刷紙排出口２３から排出され、ユーザに届けられる。
【００３０】
一方、ソフトウエアのメンテナンス等を行う場合には、図６に示すように、シリンダ錠２５を解除し、テーブル１７を第３の位置まで引き出し、空間１７ａを露出させ、収容されていたキーボード２７を操作する。この状態では、キーボード２７とマウス１９とがフルに使用できるので、メンテナンス作業も容易である。
【００３１】
次に、コンピュータ本体３３やプリンタ装置３１をメンテナンスする場合、或いは、プリンタ装置３１に用紙を補給するような場合には、図７に示すように、シリンダ錠２５を解除し、さらに、テーブル１７を最奧まで押し込み、続いて、引出部２１を引き出す。これにより、作業を容易に行うことができる。
【００３２】
コンピュータ本体３３の主電源を投入・遮断する場合等にも、シリンダ錠２５を解除し、テーブル１７を最奧まで押し込み、続いて、引出部２１を引き出して、電源スイッチをオン・オフする。
【００３３】
以上説明したように、この発明によれば、テーブル１７が、１）マウス１９を載置する事ができる程度に張り出した状態、２）マウス１９を自在に操作できる状態、３）マウス１９とキーボード２７とを操作できる状態、のいずれかを必要に応じて適宜選択して設定できる。また、プリンタ装置３１への給紙・メンテナンス時には、引出部２１を引き出して、テーブル１７を押し込むことにより、作業を容易に行うことができる。
【００３４】
なお、この発明は、上記実施の形態に限定されず、種々の変形及び応用が可能である。例えば、上記実施の形態においては、通常時には、マウス１９を使用して入力を行うが、表示装置をタッチパネル式として、タッチパネルにより入力を行うようにしてもよい。この場合、表示窓１３には、カバーパネルなどは設置せず、ユーザが直接表示装置の画面に触れることができるように、表示画面を露出させる。また、表示装置に不要な力が加わる虞があるので、支持を確実にする。さらに、通常状態では、キーボード２７とマウス１９とをテーブル１７内に収納しておき、メンテナンス時にこれを取り出すようにする。
【００３５】
また、上記実施の形態では、プリンタ台４３を引出部２１に配置して引き出し可能とし、コンピュータ支持部４５を筐体１１の底部に不動に配置したが、プリンタ台４３とコンピュータ支持部４５とを、引出部２１に配置するようにしてもよい。
【００３６】
また、上記実施の形態では、キーボード２７を空間（収容部）１７ａ内に収容したまま使用する例を示した。これに限定されず、キーボード２７とマウス１９とを載置できる程度にテーブル１７を引き出した第４の位置を設定し、この第４の位置でテーブル１７上にキーボード２７とマウス１９を載置して、操作できるようにしてもよい。
【００３７】
また、筐体１１の外観形状は任意に変更可能である。
【００３８】
【発明の効果】
以上説明したように、本発明によれば、利便性の高い筐体とその筐体を用いたコンピュータシステムを提供できる。
【図面の簡単な説明】
【図１】本発明の実施の形態に係る筐体の外観構成を示す図である。
【図２】（ａ）〜（ｃ）は、本発明の実施の形態に係る筐体の、平面図、正面図、側面図である。
【図３】筐体が備えるテーブルの構成を説明するための図である。
【図４】筐体の内部構造を説明するための図である。
【図５】通常使用時を説明するための図である。
【図６】ソフトウエアメンテナンス時を説明するための図である。
【図７】メンテナンス時を説明するための図である。
【符号の説明】
１１　筐体
１１ａ　　前面パネル
１３　表示窓
１５　カメラ窓
１７　テーブル
１７ａ　　空間
１７ｂ　　キーボードケーブル挿通穴
１７ｃ　　レール
１７ｄ　　マウスケーブル挿通穴
１９　マウス
２１　引出部
２３　印刷紙排出口
２５　シリンダ錠
２７　キーボード
２９　モニタ装置
３１　プリンタ装置
３３　コンピュータ本体
３５　キャスタ
３７　底面
４１　モニタ支持台
４３　プリンタ台
４５　コンピュータ支持部
【図１】
2004086433.tif 000003
【図２】
2004086433.tif 000004
【図３】
2004086433.tif 000005
【図４】
2004086433.tif 000006
【図５】
2004086433.tif 000007
【図６】
2004086433.tif 000008
【図７】
2004086433.tif 000009